(57)【特許請求の範囲】
【請求項１】
吸込弁用の第１弁座を下部に有するシリンダと、
前記第１弁座に着座可能なポペット弁体と、
前記シリンダ内から起立する作動部材とを備え、
前記作動部材は、前記ポペット弁体に対して上下に摺動可能に配置されると共に上方への付勢力を付与されたシール筒を備え、前記シール筒は下部外周面にフランジが周設された筒壁を有し、前記フランジの上面には吐出弁用の第２弁座が形成されており、
前記作動部材は、さらに、前記シール筒の前記筒壁の上部に嵌合されると共に上方へ起立するステムと、前記第２弁座に着座可能に前記ステム及び前記第２弁座の間に配置されると共に前記シリンダの内周面上を上下に摺動可能な環状ピストンと、前記ステムの上部に取付けられたノズルヘッドとを備え、
前記シール筒の前記筒壁の下部内周面には、前記ポペット弁体の外周面上を上下に摺動可能な環状のシール突起が設けられており、
前記ノズルヘッドの押下げにより前記吸込弁が閉じると共に前記吐出弁が開き、液体を前記吐出弁から吐出する第１過程と、前記ノズルヘッドの押下げ解除により前記吸込弁が開くと共に前記吐出弁が閉じ、液体を前記吸込弁から吸引する第２過程とを経て液体を吸引及び吐出するポンプ装置において、
前記ポペット弁体及び前記シール筒のうちの一方はポリエステル樹脂によって形成されると共に、他方はポリオレフィン樹脂によって形成されていることを特徴とするポンプ装置。
【発明の詳細な説明】
【技術分野】
【０００１】
本発明は、ポンプ装置に関し、特に、良好なシール性と耐久性を確保しようとするものである。
【背景技術】
【０００２】
従来、ポンプ装置として、吸込弁用の第１弁座を下部に有するシリンダと、前記第１弁座に着座可能なポペット弁体と、前記シリンダ内から起立する作動部材とを備え、前記作動部材は、前記ポペット弁体に対して上下に摺動可能に配置されると共に上方への付勢力を付与されたシール筒を備え、前記シール筒は下部外周面に吐出弁用の第２弁座が形成された筒壁を有しており、前記作動部材は、さらに、前記シール筒の前記筒壁の上部に嵌合されると共に上方へ起立するステムと、前記第２弁座に着座可能に前記ステム及び前記第２弁座の間に配置されると共に前記シリンダの内面上を上下に摺動可能な環状ピストンと、前記ステムの上部に取付けられたノズルヘッドとを備え、前記シール筒の前記筒壁の下部内周面には、前記ポペット弁体の外周面上を上下に摺動可能な環状のシール突起が設けられており、前記ノズルヘッドの押下げにより前記吸込弁が閉じると共に前記吐出弁が開き、液体を前記吐出弁から吐出する第１過程と、前記ノズルヘッドの押下げ解除により前記吸込弁が開くと共に前記吐出弁が閉じ、液体を前記吸込弁から吸引する第２過程とを経て液体を吸引及び吐出するポンプ装置が知られている。このような従来のポンプ装置では、ポペット弁体はポリプロピレン（ＰＰ）樹脂によって形成され、シール筒は高密度ポリエチレン（ＨＤＰＥ）樹脂によって形成されるのが一般的であった。
これに対し、特許文献１に示すように、ポペット弁体をポリブチレンテレフタレート（ＰＢＴ）樹脂によって形成し、シール筒をポリウレタン樹脂によって形成したものも知られている。
【先行技術文献】
【特許文献】
【０００３】
【特許文献１】特開２００４−２７６９７４号公報
【発明の概要】
【発明が解決しようとする課題】
【０００４】
このような従来のポンプ装置においては、ＰＰ樹脂製のポペット弁体（後掲図１に示すポペット弁体２に対応する部材）又はＨＤＰＥ樹脂製のシール筒（後掲図１に示すシール筒４に対応する部材）に内容液が接触した際、内容液の種類によってはポリオレフィン樹脂で形成されるポペット弁体及びシール筒が膨潤する場合があり、この場合、ポペット弁体とシール筒との摺接箇所が膨潤して拡径され、ポンプ作動時のポンプ押込み力が上昇する、又は、内容液の吐出後にポンプが吐出初期の位置に上昇して戻る際に、戻る速度が遅くなるという問題が生じる。
【０００５】
本発明は、前記の課題を解決するために開発されたもので、良好なシール性と耐久性、並びに内容液の影響によるポンプ押し込み力及びポンプ戻り速度の一定化を確保することができるポンプ装置を提供することを目的とする。
【課題を解決するための手段】
【０００６】
すなわち、本発明に係るポンプ装置は、
吸込弁用の第１弁座を下部に有するシリンダと、
前記第１弁座に着座可能なポペット弁体と、
前記シリンダ内から起立する作動部材とを備え、
前記作動部材は、前記ポペット弁体に対して上下に摺動可能に配置されると共に上方への付勢力を付与されたシール筒を備え、前記シール筒は下部外周面にフランジが周設された筒壁を有し、前記フランジの上面には吐出弁用の第２弁座が形成されており、
前記作動部材は、さらに、前記シール筒の前記筒壁の上部に嵌合されると共に上方へ起立するステムと、前記第２弁座に着座可能に前記ステム及び前記第２弁座の間に配置されると共に前記シリンダの内周面上を上下に摺動可能な環状ピストンと、前記ステムの上部に取付けられたノズルヘッドとを備え、
前記シール筒の前記筒壁の下部内周面には、前記ポペット弁体の外周面上を上下に摺動可能な環状のシール突起が設けられており、
前記ノズルヘッドの押下げにより前記吸込弁が閉じると共に前記吐出弁が開き、液体を前記吐出弁から吐出する第１過程と、前記ノズルヘッドの押下げ解除により前記吸込弁が開くと共に前記吐出弁が閉じ、液体を前記吸込弁から吸引する第２過程とを経て液体を吸引及び吐出するポンプ装置において、
前記ポペット弁体及び前記シール筒のうちの一方はポリエステル樹脂によって形成されると共に、他方はポリオレフィン樹脂によって形成されていることを特徴とするものである。
【発明の効果】
【０００７】
本発明によれば、ポペット弁体及びシール筒のうちの一方をポリエステル樹脂によって形成すると共に、他方をポリオレフィン樹脂によって形成したので、良好なシール性と耐久性、並びに内容液の影響によるポンプ押し込み力及びポンプ戻り速度の一定化を確保することができるポンプ装置を提供することができる。
【図面の簡単な説明】
【０００８】
【図１】本発明の一実施形態に係るポンプ装置の半断面側面図である。
【発明を実施するための形態】
【０００９】
以下、図１を参照して、本発明の一実施形態に係るポンプ装置について詳細に例示説明する。
図１に示すように、本実施形態に係るポンプ装置１００は、吸込弁Ｖ１用の第１弁座Ｖ１ａを下部に有するシリンダ１と、第１弁座Ｖ１ａに着座可能なポペット弁体２と、シリンダ１内から起立する作動部材３とを備え、作動部材３は、シール筒４、ステム５、環状ピストン６及びノズルヘッド７を備えている。また、ポンプ装置１００は、シリンダ１を容器本体Ｃの口部に装着するための装着筒８と、ステム５の上方への移動を規制する規制筒９とを備えている。なお、符号１０は、パッキンを示している。
【００１０】
シール筒４は、ポペット弁体２に対して上下に摺動可能に配置されると共にばね１１によって上方への付勢力を付与されている。また、シール筒４は、筒壁１２を有しており、筒壁１２の下部外周面には、フランジ１３が周設されている。フランジ１３の上面には吐出弁Ｖ２用の第２弁座Ｖ２ａが形成されている。フランジ１３の外周縁には、外筒１４が垂設されている。外筒１４の下部には、段差部を介して拡径され、シリンダ１の内周面上を摺動可能なガイド筒１５が垂設されている。筒壁１２の上部には、上方へ起立するステム５が嵌合されている。具体的には、ステム５の内周面には、周方向に間隔を空けて配置された複数の縦リブ５ａが形成されており、これら縦リブ５ａにそれぞれ形成された段部５ｂに筒壁１２の上部が差し込まれて固定されている。その結果、ステム５の内周面と筒壁１２の上部外周面との間には、液体を通過させる隙間が形成されている。ステム５及び第２弁座Ｖ２ａの間には、シリンダ１の内周面上を上下に摺動可能な環状ピストン６が第２弁座Ｖ２ａに着座可能に配置されている。なお、筒壁１２の下部外周面におけるフランジ１３の上方部分には、筒壁１２と環状ピストン６との間に液体を通過させる隙間を形成する複数の縦リブ１２ｂが形成されている。ステム５の上部には、ノズルヘッド７が取付けられている。また、シール筒４の筒壁１２の下部内周面には、ポペット弁体２の外周面上を上下に摺動可能な環状のシール突起１２ａが設けられている。
【００１１】
そして、ポンプ装置１００は、ノズルヘッド７の押下げにより吸込弁Ｖ１が閉じると共に吐出弁Ｖ２が開き、液体を吐出弁Ｖ２から吐出する第１過程と、ノズルヘッド７の押下げ解除により吸込弁Ｖ１が開くと共に吐出弁Ｖ２が閉じ、液体を吸込弁Ｖ１から吸引する第２過程とを経て、容器本体Ｃの内部に収容された液体を吸引及び吐出するようになっている。
【００１２】
ここで、本実施形態に係るポンプ装置１００では、ポペット弁体２及びシール筒４のうちの一方をポリエステル樹脂によって形成すると共に、他方をポリオレフィン樹脂によって形成している。ここに、ポペット弁体２及びシール筒４のうちの一方に用いられるポリエステル樹脂としては、ポリブチレンテレフタレート（ＰＢＴ）樹脂、ポリエチレンテレフタレート（ＰＥＴ）樹脂等を選択して用いることができ、本実施形態では、ＰＢＴ樹脂が用いられている。また、ポペット弁体２及びシール筒４のうちの他方に用いられるポリオレフィン樹脂としては、ポリプロピレン（ＰＰ）樹脂、高密度ポリエチレン（ＨＤＰＥ）樹脂、低密度ポリエチレン（ＬＤＰＥ）樹脂等を選択して用いることができ、本実施形態では、ＨＤＰＥ樹脂が用いられている。
また、本実施形態では、シリンダ１はＰＢＴ樹脂、ステム５はＰＢＴ樹脂、環状ピストン６は直鎖状低密度ポリエチレン（ＬＬＤＰＥ）樹脂、ノズルヘッド７はＰＢＴ樹脂で形成されている。
【００１３】
なお、容器本体Ｃに収容する液体（すなわち、内溶液）は、洗浄剤又は化粧料とすることが好ましい。容器本体Ｃに収容する洗浄剤又は化粧料は、３０℃における粘度が１８ｍＰa・ｓ以下である炭化水素油を含有する場合に好適である。３０℃における粘度が１８ｍＰa・ｓ以下の炭化水素油としては、軽質流動イソパラフィン、水添ポリイソブテン等の流動イソパラフィン、イソドデカン、イソヘキサデカン等が挙げられ、これらから選ばれる１種又は２種以上を洗浄剤又は化粧料に含有する場合に好適である。これらのうち、洗浄力とさっぱりした感触から軽質流動イソパラフィン、イソドデカン、イソヘキサデカンが好ましい。ここで粘度は、３０℃においてＢＭ型粘度計（トキメック社製、測定条件：ローターＮＯ．１、６０ｒｐｍ）により測定したものである。また、炭化水素油は、３０℃における粘度が好ましくは１８ｍＰa・ｓ以下であり、より好ましくは１０ｍＰa・ｓ以下である。
【００１４】
かかる炭化水素油の洗浄剤又は化粧料中の含有量は、ポリエチレン等の樹脂を膨潤させるおそれがある一方、洗浄剤の洗浄力を向上する観点、化粧料の使用感を向上させる観点から、好ましくは１質量％以上であり、より好ましくは３質量％以上であり、さらに好ましくは４質量％以上であり、さっぱりした感触から好ましくは５０質量％以下であり、さらに好ましくは４０質量％以下であり、より好ましくは３０質量％以下である。
【００１５】
容器本体Ｃに収容する洗浄剤又は化粧料は、エステル油を含有する場合に好適である。かかるエステル油としては、ミリスチン酸イソプロピル、オクタン酸セチル、ミリスチン酸オクチルドデシル、パルミチン酸イソプロピル、パルミチン酸イソステアリル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、イソノナン酸イソステアリル、１２−ヒドロキシステアリン酸コレステリル、ジ−２−エチルヘキシル酸エチレングリコール、ジペンタエリスリトール脂肪酸エステル、モノイソステアリン酸Ｎ−アルキルグリコール、ジカプリン酸ネオペンチルグリコール、リンゴ酸ジイソステアリル、ジ−２−ヘプチルウンデカン酸グリセリン、トリ−２−エチルヘキシル酸トリメチロールプロパン、トリイソステアリン酸トリメチロールプロパン、テトラ−２−エチルヘキシル酸ペンタンエリスリトール、トリ−２−エチルヘキシル酸グリセリン、トリイソステアリン酸トリメチロールプロパン、セチル２−エチルヘキサノエート、２−エチルヘキシルパルミテート、トリミリスチン酸グリセリン、トリ−２−ヘプチルウンデカン酸グリセライド、ヒマシ油脂肪酸メチルエステル、オレイン酸オイル、アセトグリセライド、パルミチン酸２−ヘプチルウンデシル、アジピン酸ジイソブチル、Ｎ−ラウロイル−Ｌ−グルタミン酸−２−クチルドデシルエステル、アジピン酸ジ−２−ヘプチルウンデシル、エチルラウレート、セバチン酸ジ−２−エチルヘキシル、ミリスチン酸２−ヘキシルデシル、パルミチン酸２−ヘキシルデシル、アジピン酸２−ヘキシルデシル、セバシン酸ジイソプロピル、コハク酸２−エチルヘキシル、酢酸エチル、酢酸ブチル、酢酸アミル、クエン酸トリエチル、クロタミトン（Ｃ１３Ｈ１７ＮＯ）などが挙げられ、これらから選ばれる１種又は２種以上を用いることができる。これらのエステル油のうち、オクタン酸セチル、パルミチン酸オクチル、パルミチン酸イソステアリル、イソノナン酸イソステアリルから選ばれる１種又は２種以上が好ましい。エステル油の容器本体Ｃに収容する洗浄剤又は化粧料中の含有量は、ポリエチレン樹脂等を軟化させる場合がある一方、洗浄剤や化粧料の使用感を向上する観点から、好ましくは１質量％以上であり、より好ましくは３質量％以上であり、好ましくは３０質量％以下であり、より好ましくは２０質量％以下である。
【００１６】
容器本体Ｃに収容する洗浄剤又は化粧料は、プロピレングリコール、１,３-ブチレングリコール、分子量が１００００以下のポチエチレングリコールから選ばれるポリオールを含有するものが好ましい。これらのポリオールは、樹脂を軟化させる場合がある一方、洗浄剤又は化粧料の安定性と使用感を向上する観点から含有量は、好ましくは１質量％以上であり、より好ましくは２質量％以上であり、好ましくは２０質量％以下であり、より好ましくは１０質量％以下である。
【００１７】
かかる構成になる本実施形態に係るポンプ装置１００によれば、嵌合しながら上下に摺動するポペット弁体２及びシール筒４のうちの一方を内容液によって膨潤しないポリエステル樹脂で構成すると共に、他方をポリオレフィン樹脂によって形成したので、ポペット弁体２又はシール筒４のどちらか一方が洗浄剤又は化粧料に含まれるオイル成分などの影響によって膨潤せず拡径されることがないため、ポンプ押し込み力及びポンプ戻り速度の一定化が確保でき、互いに摺動するシール筒４とポペット弁体２との良好なシール性と耐久性を確保することができる。
【００１８】
より具体的には、ポペット弁体２をＰＢＴ樹脂によって形成すると共に、シール筒４をＨＤＰＥ樹脂によって形成することが好ましく、このような材料選定とすることで、前述したシール性と耐久性をより良いものとすることができる。
【００１９】
前述したところは本発明の一実施形態を示したにすぎず、特許請求の範囲において、種々の変更を加えてもよいことは言うまでもない。
【符号の説明】
【００２０】
１  シリンダ
２  ポペット弁体
３  作動部材
４  シール筒
５  ステム
５ａ  縦リブ
５ｂ  段部
６  環状ピストン
７  ノズルヘッド
８  装着筒
９  規制筒
１０  パッキン
１１  ばね
１２  筒壁
１２ａ  シール突起
１２ｂ  縦リブ
１３  フランジ
１４  外筒
１５  ガイド筒
１００  ポンプ装置
Ｖ１  吸込弁
Ｖ１ａ  第１弁座
Ｖ２  吐出弁
Ｖ２ａ  第２弁座
Ｃ  容器本体
【図１】
0006305900.tif 000002